(57)【要約】【課題】  接続された機器の消費電力の算出できるホームネットワークシステムを提供する。【解決手段】  外部ネットワーク70に接続されたホームネットワーク10と、ホームネットワークに接続されるホームサーバ20、機器40及びコントローラ30とを含むホームネットワークシステムにおいて、機器は、機器を判別するコード情報を有しており、外部ネットワークには、機器を判別するコード情報と、該コード情報に対応し、当該機器の消費電力に関する個別ルールが設定された共通ルールサーバ72を有し、機器は、ホームサーバに対して、機器のコード情報を送信し、ホームサーバは、受信したコード情報を基に共通ルールサーバにアクセスして、機器の個別ルールを取得し、該個別ルールに基づいて、ホームネットワークに接続された機器の消費電力を算出し、コントローラに表示する。【選択図】  図１
2006353005.tif 000002
【特許請求の範囲】
【請求項１】
外部ネットワークに接続されたホームネットワークと、
ホームネットワークに接続されたホームサーバと、
ホームネットワークに接続され、ネットワーク機能を有する機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、該機器の消費電力に関する情報が設定されたサーバを有し、
ホームネットワークに接続される機器は、ホームサーバに対して、機器のコード情報を送信し、
ホームサーバは、受信したコード情報を基に、外部ネットワーク上のサーバにアクセスして、ホームネットワークに接続された機器の消費電力に関する情報を取得することを特徴とするホームネットワークシステム。
【請求項２】
外部ネットワークに接続されたホームネットワークと、
ホームネットワークに接続されたホームサーバと、
ホームネットワークに接続され、ネットワーク機能を有する機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続される機器は、ホームサーバに対して、機器のコード情報を送信し、
ホームサーバは、受信したコード情報を基に、外部ネットワーク上のサービス提供サーバを経由し、共通ルールサーバにアクセスして、ホームネットワークに接続された機器の消費電力に関する情報を取得することを特徴とするホームネットワークシステム。
【請求項３】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定されたサーバを有し、
ホームネットワークに接続されるネットワークアダプタは、ホームサーバに対して、ネットワークアダプタに接続された機器のコード情報を送信し、
ホームサーバは、受信したコード情報を基に、外部ネットワーク上のサーバにアクセスして、ホームネットワークに接続された機器の消費電力に関する情報を取得することを特徴とするホームネットワークシステム。
【請求項４】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続されるネットワークアダプタは、ホームサーバに対して、ネットワークアダプタに接続された機器のコード情報を送信し、
ホームサーバは、受信したコード情報を基に、外部ネットワーク上のサービス提供サーバを経由し、共通ルールサーバにアクセスして、ホームネットワークに接続された機器の消費電力に関する情報を取得することを特徴とするホームネットワークシステム。
【請求項５】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定されたサーバを有し、
ホームネットワークに接続されるネットワークアダプタは、ネットワークアダプタに接続された機器のコード情報を基に、外部ネットワーク上のサーバにアクセスして、ネットワークアダプタに接続された機器の消費電力に関する情報を取得することを特徴とするホームネットワークシステム。
【請求項６】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続されるネットワークアダプタは、ネットワークアダプタに接続された機器のコード情報を基に、外部ネットワーク上のサービス提供サーバを経由し、共通ルールサーバにアクセスして、ネットワークアダプタに接続された機器の消費電力に関する情報を取得することを特徴とするホームネットワークシステム。
【請求項７】
外部ネットワークに接続されたホームネットワークと、
ホームネットワークに接続されたホームサーバと、
ホームネットワークに接続され、ネットワーク機能を有する機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、該機器の消費電力に関する情報が設定された共通ルールサーバを有し、
ホームネットワークに接続される機器は、ホームサーバに対して、機器のコード情報を送信し、
ホームサーバは、受信したコード情報を基に、外部ネットワーク上の共通ルールサーバにアクセスして、ホームネットワークに接続された機器の個別ルールを取得し、該個別ルールに基づいて、ホームネットワークに接続された機器の消費電力を得ることを特徴とするホームネットワークシステム。
【請求項８】
外部ネットワークに接続されたホームネットワークと、
ホームネットワークに接続されたホームサーバと、
ホームネットワークに接続され、ネットワーク機能を有する機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続される機器は、ホームサーバに対して、機器のコード情報を送信し、
ホームサーバは、受信したコード情報を基に、外部ネットワーク上のサービス提供サーバを経由し、共通ルールサーバにアクセスして、ホームネットワークに接続された機器の個別ルールを取得し、該個別ルールに基づいて、ホームネットワークに接続された機器の消費電力を得ることを特徴とするホームネットワークシステム。
【請求項９】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバを有し、
ホームネットワークに接続されるネットワークアダプタは、ホームサーバに対して、ネットワークアダプタに接続された機器のコード情報を送信し、
ホームサーバは、受信したコード情報を基に、外部ネットワーク上の共通ルールサーバにアクセスして、ホームネットワークに接続された機器の個別ルールを取得し、該個別ルールに基づいて、ホームネットワークに接続された機器の消費電力を得ることを特徴とするホームネットワークシステム。
【請求項１０】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続されるネットワークアダプタは、ホームサーバに対して、ネットワークアダプタに接続された機器のコード情報を送信し、
ホームサーバは、受信したコード情報を基に、外部ネットワーク上のサービス提供サーバを経由して、共通ルールサーバにアクセスし、ホームネットワークに接続された機器の個別ルールを取得し、該個別ルールに基づいて、ホームネットワークに接続された機器の消費電力を得ることを特徴とするホームネットワークシステム。
【請求項１１】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバを有し、
ホームネットワークに接続されるネットワークアダプタは、ネットワークアダプタに接続された機器のコード情報を基に、外部ネットワーク上の共通ルールサーバにアクセスして、ネットワークアダプタに接続された機器の個別ルールを取得し、該個別ルールに基づいて、ネットワークアダプタに接続された機器の消費電力をネットワークアダプタが取得することを特徴とするホームネットワークシステム。
【請求項１２】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続されるネットワークアダプタは、ネットワークアダプタに接続された機器のコード情報を基に、外部ネットワーク上のサービス提供サーバを経由して、共通ルールサーバにアクセスし、ネットワークアダプタに接続された機器の個別ルールを取得し、該個別ルールに基づいて、ネットワークアダプタに接続された機器の消費電力をネットワークアダプタが取得することを特徴とするホームネットワークシステム。
【請求項１３】
外部ネットワークに接続されたホームネットワークと、
ホームネットワークに接続されるホームサーバと、
ホームネットワークに接続され、ネットワーク機能を有する機器と、
ホームネットワークに接続され、ホームネットワーク上の機器の状態を表示する表示部を有し、機器の操作を行なうコントローラと、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバを有し、
ホームネットワークに接続される機器は、ホームサーバに対して、機器のコード情報を送信し、
ホームサーバは、受信したコード情報を基に、外部ネットワーク上の共通ルールサーバにアクセスして、ホームネットワークに接続された機器の個別ルールを取得し、該個別ルールに基づいて、ホームネットワークに接続された機器の消費電力を算出し、コントローラの表示部に表示することを特徴とするホームネットワークシステム。
【請求項１４】
外部ネットワークに接続されたホームネットワークと、
ホームネットワークに接続されるホームサーバと、
ホームネットワークに接続可能でありネットワーク機能を有するネットワークアダプタを介してホームネットワークに接続される機器と、
ホームネットワークに接続され、ホームネットワーク上の機器の状態を表示する表示部を有し、機器の操作を行なうコントローラと、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバを有し、
ホームネットワークに接続されるネットワークアダプタは、ホームサーバに対して、ネットワークアダプタに接続された機器のコード情報を送信し、
ホームサーバは、受信したコード情報を基に、外部ネットワーク上の共通ルールサーバにアクセスして、ホームネットワークに接続された機器の個別ルールを取得し、該個別ルールに基づいて、ホームネットワークに接続された機器の消費電力を算出し、コントローラの表示部に表示することを特徴とするホームネットワークシステム。
【請求項１５】
外部ネットワークに接続されたホームネットワークと、
ホームネットワークに接続可能でありネットワーク機能を有する機器と、
ホームネットワークに接続され、ホームネットワーク上の機器の状態を表示する表示部を有し、機器の操作を行なうコントローラと、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続される機器は、サービス提供サーバに対して、機器のコード情報を送信し、
サービス提供サーバは、受信したコード情報を基に、外部ネットワーク上の共通ルールサーバにアクセスして、ホームネットワークに接続された機器の個別ルールを取得し、該個別ルールに基づいて、ホームネットワークに接続された機器の消費電力を算出し、コントローラの表示部に表示することを特徴とするホームネットワークシステム。
【請求項１６】
外部ネットワークに接続されたホームネットワークと、
ホームネットワークに接続可能でありネットワーク機能を有するネットワークアダプタを介してホームネットワークに接続される機器と、
ホームネットワークに接続され、ホームネットワーク上の機器の状態を表示する表示部を有し、機器の操作を行なうコントローラと、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続されるネットワークアダプタは、サービス提供サーバに対して、ネットワークアダプタに接続された機器のコード情報を送信し、
サービス提供サーバは、受信したコード情報を基に、外部ネットワーク上の共通ルールサーバにアクセスして、ホームネットワークに接続された機器の個別ルールを取得し、該個別ルールに基づいて、ホームネットワークに接続された機器の消費電力を算出し、コントローラの表示部に表示することを特徴とするホームネットワークシステム。
【請求項１７】
ホームネットワークと、
ホームネットワークに接続可能でありネットワーク機能を有する機器と、
ホームネットワークに接続され、ホームネットワーク上の機器の状態を表示する表示部を有し、機器の操作を行なうコントローラと、
を含むホームネットワークシステムにおいて、
ホームネットワークに接続される機器は、機器の運転状態を管理する機器制御部、及び、運転状態から消費電力を算出する消費電力算出部を有しており、
コントローラは、機器の消費電力算出部にて算出された機器の消費電力を取得し、表示部に表示することを特徴とするホームネットワークシステム。
【請求項１８】
ホームネットワークと、
ホームネットワークに接続可能でありネットワーク機能有するネットワークアダプタを介してホームネットワークに接続される機器と、
ホームネットワークに接続され、ホームネットワーク上の機器の状態を表示する表示部を有し、機器の操作を行なうコントローラと、
を含むホームネットワークシステムにおいて、
ホームネットワークに接続されるネットワークアダプタは、機器の運転状態を管理する機器制御部、及び、運転状態から消費電力を算出する消費電力算出部を有しており、
コントローラは、ホームネットワークに接続された機器の消費電力算出部にて算出された機器の消費電力を取得し、表示部に表示することを特徴とするホームネットワークシステム。
【請求項１９】
外部ネットワークに接続されたホームネットワークと、
ホームネットワークに接続されるホームサーバと、
ホームネットワークに接続され、ネットワーク機能を有する複数の機器と、
を含むホームネットワークシステムにおいて、
ホームネットワークに接続される複数の機器は、夫々機器を判別するコード情報を有し、
ホームネットワークに接続される機器は、機器を判別するコード情報を有し、
外部ネットワークには、ホームネットワークに接続可能な機器を判別するコード情報と、該コード情報に対応し、当該機器の消費電力に関する個別ルールが設定された共通ルールサーバを有し、
ホームネットワークに接続される機器は、ホームサーバに対して、機器のコード情報を送信し、
ホームサーバは、受信したコード情報を基に、外部ネットワーク上の共通ルールサーバにアクセスして、ホームネットワークに接続された複数の機器の個別ルールを取得し、該個別ルールに基づいて、ホームネットワークに接続された複数の機器の合計消費電力を算出し、予め設定された最適な消費電力の上限を越えないようにホームネットワークに接続された機器を制御することを特徴とするホームネットワークシステム。
【請求項２０】
外部ネットワークに接続されたホームネットワークと、
ホームネットワークに接続されるホームサーバと、
ホームネットワークに接続可能でありネットワーク機能を有するネットワークアダプタを介してホームネットワークに接続される複数の機器と、
を含むホームネットワークシステムにおいて、
ホームネットワークに接続される機器は、機器を判別するコード情報を有し、
外部ネットワークには、ホームネットワークに接続可能な機器を判別するコード情報と、該コード情報に対応し、当該機器の消費電力に関する個別ルールが設定された共通ルールサーバを有し、
ホームネットワークに接続されるネットワークアダプタは、ホームサーバに対して、ネットワークアダプタに接続された機器のコード情報を送信し、
ホームサーバは、受信したコード情報を基に、外部ネットワーク上の共通ルールサーバにアクセスして、ホームネットワークに接続された機器の個別ルールを取得し、該個別ルールに基づいて、ホームネットワークに接続された複数の機器の消費電力を算出し、予め設定された最適な消費電力の上限を越えないようにホームネットワークに接続された機器を制御することを特徴とするホームネットワークシステム。
【請求項２１】
外部ネットワークに接続されたホームネットワークと、
ホームネットワークに接続可能でありネットワーク機能を有する複数の機器と、
を含むホームネットワークシステムにおいて、
ホームネットワークに接続される機器は、機器を判別するコード情報を有し、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続される機器は、サービス提供サーバに対して、機器のコード情報を送信し、
サービス提供サーバは、受信したコード情報を基に、外部ネットワーク上の共通ルールサーバにアクセスして、ホームネットワークに接続された機器の個別ルールを取得し、該個別ルールに基づいて、ホームネットワークに接続された複数の機器の消費電力を算出し、予め設定された最適な消費電力の上限を越えないようにホームネットワークに接続された機器を制御することを特徴とするホームネットワークシステム。
【請求項２２】
外部ネットワークに接続されたホームネットワークと、
ホームネットワークに接続可能でありネットワーク機能を有するネットワークアダプタを介してホームネットワークに接続される複数の機器と、
を含むホームネットワークシステムにおいて、
ホームネットワークに接続される機器は、機器を判別するコード情報を有し、
外部ネットワークには、ホームネットワークに接続可能な機器を判別するコード情報と、該コード情報に対応し、当該機器の消費電力に関する個別ルールが設定された共通ルールサーバと、ホームネットワークと共通ルールサーバとを中継するサービス提供サーバと、を有し、
ホームネットワークに接続されるネットワークアダプタは、サービス提供サーバに対して、ネットワークアダプタに接続された機器のコード情報を送信し、
サービス提供サーバは、受信したコード情報を基に、外部ネットワーク上の共通ルールサーバにアクセスして、ホームネットワークに接続された機器の個別ルールを取得し、該個別ルールに基づいて、ホームネットワークに接続された複数の機器の消費電力を算出し、予め設定された消費電力の上限を越えないようにホームネットワークに接続された機器を制御することを特徴とするホームネットワークシステム。
【請求項２３】
ホームネットワークと、
ホームネットワークに接続されたホームサーバと、
ホームネットワークに接続可能でありネットワーク機能を有する機器と、
を含むホームネットワークシステムにおいて、
ホームネットワークに接続される機器は、機器の運転状態を管理する機器制御部、及び、運転状態から消費電力を算出する消費電力算出部を有しており、
ホームサーバは、機器の消費電力算出部にて算出された機器の消費電力を取得し、予め設定された消費電力の上限を越えないようにホームネットワークに接続された機器を制御することを特徴とするホームネットワークシステム。
【請求項２４】
ホームネットワークと、
ホームネットワークに接続可能でありネットワーク機能有するネットワークアダプタを介してホームネットワークに接続される機器と、
を含むホームネットワークシステムにおいて、
ホームネットワークに接続されるネットワークアダプタは、機器の運転状態を管理する機器制御部、及び、運転状態から消費電力を算出する消費電力算出部を有しており、
ホームサーバは、ネットワークアダプタの消費電力算出部にて算出された機器の消費電力を取得し、予め設定された消費電力の上限を越えないようにホームネットワークに接続された機器を制御することを特徴とするホームネットワークシステム。
【請求項２５】
ホームネットワーク上の機器は、ブレーカを経由して電力供給を受けており、
ホームサーバの予め設定された最適な消費電力の上限は、ブレーカの定格電力である請求項１９乃至請求項２４の何れかに記載のホームネットワークシステム。
【発明の詳細な説明】
【技術分野】
【０００１】
本発明は、ネットワークに接続された機器の消費電力を算出することのできるホームネットワークシステムに関するものである。
【背景技術】
【０００２】
ホームネットワークに接続された機器の消費電力を算出し、消費電力の表示を行なうようなシステムが提案されている。
このようなシステムとして、例えば、一台のホームサーバにホームネットワークに接続される機器の運転モードに対する消費電力のデータを予め取り込んでおき、ホームネットワークを介して各機器の運転状態を取得して、消費電力を算出するようにしたものがある(例えば、特許文献１、特許文献２参照)。
また、ホームネットワークに接続される機器に消費電力を測定するセンサを配備したものも提案されている。
【０００３】
【特許文献１】特開２００２−１３７７８号公報
【特許文献２】特開２００３−１３１７６３号公報
【発明の開示】
【発明が解決しようとする課題】
【０００４】
しかしながら、ホームネットワークに接続される機器は、メーカー毎に異なり、また、多種多様化することが考えられるので、ホームネットワーク毎に、メーカーや機種別情報等を登録して、機器の運転モードに対する消費電力の設定する必要がある。
このため、利便性に欠け、また、設定していない機器を接続しておくと、正確な消費電力算出ができないこともあった。
また、ホームネットワークに接続される全ての機器に消費電力を測定するセンサを取り付けることも、コスト増や手間が掛かるため難しかった。
【０００５】
本発明の目的は、接続された機器の消費電力の算出を行なうことのできるホームネットワークシステムを提供することである。
【課題を解決するための手段】
【０００６】
上記課題を解決するために本発明のホームネットワークシステムは、
インターネット等の外部ネットワークに接続されたホームネットワークと、
ホームネットワークに接続されるホームサーバと、
ホームネットワークに接続可能でありネットワーク機能を有する機器、又は、ネットワーク機能を有するネットワークアダプタを介してホームネットワークに接続される機器と、
を含むホームネットワークシステムにおいて、
ホームネットワークに接続される機器は、機器を判別するコード情報を有しており、
外部ネットワークには、ホームネットワークに接続可能な機器を判別するコード情報と、該コード情報に対応し、当該機器の消費電力に関する個別ルールが設定されたサーバを有し、
ホームネットワークに接続される機器又はネットワークアダプタは、ホームサーバに対して、機器又はネットワークアダプタに接続された機器のコード情報を送信し、
ホームサーバは、受信したコード情報を基に、外部ネットワーク上のサーバにアクセスして、ホームネットワークに接続された機器の消費電力に関する情報を取得するようにした。
【０００７】
ホームサーバは、取得された消費電力に関する情報を基に、ホームネットワークに接続された機器の消費電力を算出したり、ホームネットワークに接続されたコントローラに消費電力を表示することができる。
【発明の効果】
【０００８】
本発明によれば、消費電力を算出する電流センサ等を搭載していない機器でも、メーカ、機種に限定されることなく、ホームサーバが消費電力に関する情報を取得することができ、機器の消費電力を算出したりコントローラに表示することができる。また、機器の制御にも利用することができる。
コントローラに消費電力を表示することにより、ユーザが消費電力を確認でき、消費電力に関心を持つことによって、省エネルギー喚起を促すことができる。また、月ごとの電気代の削減目標を設定したり、家庭内のどの機器に最も電気代がかかっているかなど、様々な情報を得ることができる。
機器自体又はネットワークアダプタ自体には、コード情報だけを具備しておけば、消費電力に関する情報は、機器やネットワークアダプタに設定しておかなくてよい。従って、本発明を適用するにあたり、機器に電流センサ等のセンサを搭載したり、メモリ容量を増やす必要もなく、コストアップを回避できる。
【発明を実施するための最良の形態】
【０００９】
＜実施形態１＞
図１は、本発明の実施形態１を示すネットワークシステムの全体構成図である。
ホームネットワーク(10)は、家屋内に配設されており、ECHONET、UPnP等を例示できる。ホームネットワーク(10)は、ルータ装置(図示せず)等を介して、外部ネットワーク(インターネット等)(70)に接続される。
【００１０】
ホームネットワーク(10)には、図１に示すように、ホームサーバ(20)、コントローラ(30)、ホームネットワーク(10)上で操作、制御等を行なう機器(40)が接続されている。ホームサーバ(20)、コントローラ(30)及び機器(40)間は、ある通信プロトコルによって通信を行ない、機器(40)の運転状態の取得や、操作命令が伝達可能となっている。
【００１１】
ホームサーバ(20)は、各種プログラムの実行、ホームネットワーク内の通信の制御、ホームサーバ自体の制御等を行なったり、各種プログラムや設定情報等を記憶する全体管理部と、後述する消費電力を算出する算出部、接続されている機器(40)の名称や、機器(40)の消費電力、運転状態を示す表示画面、さらに、機器(40)の操作可能な動作や操作方法を示す操作メニュー画面を有するＷｅｂサーバ、通信プロトコルによってコントローラ(30)や機器(40)等と通信を行なう通信処理部と、ホームネットワーク(10)と接続するための通信インタフェース等と、を有している。
【００１２】
コントローラは、図７等に示すように、表示部(31)を有し、ホームサーバ(20)や機器(40)のＷｅｂサーバから送出される機器の状態や後述する消費電力を示す表示画面や、操作可能な動作や操作方法を示す操作メニュー画面を表示する。コントローラも、通信インタフェース(図示せず)を介してホームネットワーク(10)に接続されている。
【００１３】
ホームネットワーク(10)に接続される機器(40)は、ネットワーク機能を有する機器であり、例えば、照明器具、エアコン、冷蔵庫、Ｗｅｂカメラ、洗濯機等の所謂ネットワーク家電を例示できる。
なお、機器自体がネットワーク機能を有していないが、ネットワークアダプタ(50)が接続可能な機器については、図２に示すように、ネットワークアダプタ(50)を介してホームネットワーク(10)に接続すればよく、ネットワークアダプタ(50)がネットワーク機能を具備していればよい。ネットワークアダプタ(50)は、機器(40)に外付けするタイプのものでもよいし、機器(40)に別基板として組み込まれているものでもよい。
また、機器(40)又はネットワークアダプタ(50)には、機器(40)の消費電力、運転状態を示す表示画面、機器(40)の操作可能な動作や操作方法を示す操作メニュー画面を有するＷｅｂサーバを必要に応じて搭載することができる。
【００１４】
機器(40)には、機器を判別するコード情報が登録されている。コード情報として、メーカ名や機種情報、品番、型番等の１つ又はこれらの組み合わせを例示できる。
コード情報は、ホームサーバ(20)からのアクセスによって、ホームサーバ(20)に提供可能となっている。
コード情報は、同じ機能を有する機器(40)ごとに固有のコードであり、異なる機能、性能を有する機器同士の重複はないように設定され、機器(40)に組み込まれている。
ネットワークアダプタ(50)を中継してホームネットワーク(10)に接続する場合には、ネットワークアダプタ(50)が機器(40)に設定されているコード情報を取得することが可能なようにしておく。
【００１５】
外部ネットワーク(70)に接続されるサーバ、例えば、共通ルールサーバ(72)は、機器を判別するコード情報と、該コード情報に対応し、当該機器の消費電力に関する情報が設定されている。機器の消費電力に関する情報として、具体的には、機器のコード情報と、該機器の運転状態に応じた消費電力が関連づけられたルール(以下、「個別ルール」という)を例示でき、ホームサーバ(20)からコード情報を基にアクセスがあったときに、個別ルールをホームサーバ(20)に提供できるようにしている。以下では、個別ルールを例に挙げて説明を行なう。
個別ルールは、共通ルールサーバ(72)自体が保持していてもよいし、個別ルールは、共通ルールサーバ(72)に外部ネットワーク(70)を経由して接続された機器のメーカのサーバ(以下「メーカルールサーバ」という)(73)(74)に保持させておき、ホームサーバ(20)からのコード情報を基にアクセスがあったときに、共通ルールサーバ(72)が、コード情報に基づいて、機器のメーカルールサーバ(73)(74)に個別ルールを照会するようにしてもよい。
【００１６】
上記構成のホームネットワークシステムにおいて、消費電力算出のためのフローチャートを図３に示している。ホームネットワーク(10)に接続される機器(40)として、照明器具(メーカ：Ａ社、コード情報：KLT-T9999)を例に挙げて説明する。
【００１７】
ホームネットワーク(10)に接続される機器(40)には、予めメーカ(Ａ社)側で機器(40)のコード情報(KLT-T9999)を登録しておくと共に、共通ルールサーバ(72)に事前に消費電力算出のための個別ルール(図４参照)を登録しておく。個別ルールは、図４に示すように、メーカ名(Ａ)、機種名(シリアルナンバー：KLT-T9999)、運転状態と消費電力(本実施形態の場合、スイッチがオンのとき消費電力７９ワット)の情報を含んでいる。運転状態が、オン、オフ以外に強、中、弱等、出力調整可能な場合は、各出力状態における消費電力が個別ルールに含まれる。
なお、図４中、「ERROR=5%」のような算出結果の誤差情報を個別ルールに含めることもできる。また、「NEED#MODE="STATE"」といったような、結果の算出に必要なモード情報を個別ルールに含めることもできる。この場合、ホームサーバ(20)は、この情報を基に、必要なモード変化のみをテーブルに記憶するだけですむようになる。
【００１８】
図５に示すように、ホームネットワーク(10)に機器(40)が接続されると、ホームサーバ(20)に機器(40)が認識され、コントローラ(30)によって機器(40)の制御や、状態表示が可能となる。コントローラ(30)には、ホームサーバ(20)又は機器(40)のＷｅｂサーバから表示画面や操作メニュー画面が送信される。機器(40)の運転状態は、ホームサーバ(20)を経由して、コントローラ(30)に表示され、機器(40)の制御命令は、ユーザがコントローラ(30)の操作メニュー画面を操作することによって、ホームサーバ(20)を経由して機器(40)に送信される。
【００１９】
機器(40)の消費電力を算出するには、まず、通信プロトコルを利用して、機器(40)からホームサーバ(20)へコード情報(KLT-T9999)を通知することにより開始される(ステップ１)。
ホームサーバ(20)は、機器(40)から得たコード情報を基に、外部ネットワーク(70)を経由して、共通ルールサーバ(72)へコード情報(KLT-T9999)の照会を行なう(ステップ２)。
共通ルールサーバ(72)に当該機器(40)のコード情報の登録があった場合には(ステップ３)、共通ルールサーバ(72)からホームサーバ(20)へ、個別ルール(図４参照)が送信され、ホームサーバ(20)に登録される(ステップ４)。
なお、ホームサーバ(20)に機器(40)のコード情報及び個別ルールを既に登録している場合には、共通ルールサーバ(72)への照会は不要である。
【００２０】
ホームネットワーク(10)に接続された機器(40)は、運転状態(例えば、スイッチのオン、オフや出力レベル)をホームサーバ(20)に送信する(ステップ５)。運転状態は、経時的に送信してもよいし、運転状態が変わる毎に送信したり、又は、所定時間毎に送信するようにしてもよい。また、ユーザがコントローラ(30)を操作して、消費電力を知りたいときに送信するようにしてもよい。
なお、積算又は時間毎の消費電力をコントローラ(30)にて表示したい場合等には、運転状態を経時的に又は運転状態が変わる毎に送信し、個別ルールに基づいて、図６に示すように、ホームサーバ(20)で記憶しておくことが必要である。
【００２１】
ユーザが、図７に示すコントローラ(30)の表示部(31)を操作して、消費電力の取得を要求すると(ステップ６及び図８)、ホームサーバ(20)に記憶されている個別ルールと、機器(40)の運転状態に基づいて、ホームサーバ(20)の算出部にて消費電力を算出する(ステップ７及び図９)。消費電力の算出は、例えば、照明器具の平均消費電力の場合、１日３時間オン、２１時間オフとした場合には、７９(ワット)×３(時間)÷２４(時間)＝９.８７５(ワット)となる(図９の１日前の平均消費電力参照)。
算出された消費電力は、ホームサーバ(20)からコントローラ(30)に送信され、表示部(31)に表示する(ステップ８及び図１０)。
【００２２】
なお、ステップ３において、共通ルールサーバ(72)にコード情報の登録がない場合には、共通ルールサーバ(72)はホームサーバ(20)に対して、コード情報の登録がない旨を応答し(ステップ９)、コントローラ(30)からホームサーバ(20)に対して消費電力の取得要求があったときに(ステップ１０)、消費電力の算出ができない旨応答し(ステップ１１)、コントローラ(30)の表示部(31)に、消費電力の表示不能である旨を表示する。
【００２３】
上記によって、ユーザの求めに応じて、機器(40)の消費電力をコントローラ(30)に表示することができる。なお、表示される消費電力は、所定時間毎の消費電力(ｋｗｈ)や、一日の平均消費電力(図９)、月間の平均消費電力を例示でき、さらに、これらの概算金額としてもよい。また、消費電力の代わりに電流値を表示するようにしてもよい。表示は、数値だけでなく、グラフ化してもよい(図１０)。
また、機器(40)が複数ある場合には、各機器毎の消費電力を算出したり、全ての機器の合算を算出し、表示するようにしてもよい。
【００２４】
上記実施形態では、１基の機器(40)について、消費電力の算出を行なったが、複数の機器に対して消費電力の算出を行なえることは勿論であり、複数の機器の合計消費電力等を表示するようにすることもできる。
また、ホームサーバ(20)の算出部で消費電力を算出したが、コントローラ(30)から消費電力の取得要求があったときに、ホームサーバ(20)から機器(40)のコード情報と運転状態を共通ルールサーバ(72)に送信し、共通ルールサーバ(72)において消費電力を算出してホームサーバ(20)に返信し、コントローラ(30)に表示するようにしてもよい。
さらに、ホームサーバ(20)は、機器(40)の運転状態を所定時間毎に共通ルールサーバ(72)に送信しておき、共通ルールサーバ(72)側で消費電力を予め算出しておいて、ユーザから消費電力についての問い合わせがあったときに、即時に共通ルールサーバ(72)で算出されている消費電力をホームサーバ(20)に返信するようにしてもよい。
【００２５】
ネットワークアダプタ(50)を経由してホームネットワーク(10)に接続する場合には、上記のように、ホームサーバ(20)がネットワークアダプタ(50)からコード情報を受信して、ホームサーバ(20)が、共通ルールサーバ(72)から消費電力に関する情報を問い合わせているが、ネットワークアダプタ(50)自体が、直接共通ルールサーバ(72)に、接続された機器(40)のコード情報に基づいて、共通ルールサーバ(72)に消費電力に関する情報を問い合わせるようにしてもよい。
この場合、電流センサ等を内蔵した機器と同じように、ホームサーバ(20)は、消費電力を算出する際に、直接ネットワークアダプタ(50)へ消費電力に関する情報を問い合わせて受信できる。
【００２６】
本発明のホームネットワークシステムには、勿論、電流センサ等のセンサを内蔵し、消費電力が機器自体で算出可能なネットワーク対応の機器を接続することができ、そのような場合には、個別ルールの取得は不要である。
【００２７】
上記実施形態では、ホームサーバ(20)をホームネットワーク(10)内に設けているが、図１又は図２の紙面右側に示すように、宅外にあるサービス提供サーバ(75)をホームサーバの代わりに用いるシステムとしてもよい。この場合、機器(40)からサービス提供サーバ(75)にコード情報を送信し、サービス提供サーバ(75)がコード情報を基に共通ルールサーバ(72)に個別ルールの照会を行なって、機器(40)の消費電力を算出することとなる。
【００２８】
＜実施形態２＞
上記実施形態１では、機器(40)の消費電力の算出をホームサーバ(20)又は共通ルールサーバ(72)で行なっているが、図１又は図２に示すホームネットワークシステムにおいて、機器(40)自体又は機器(40)に接続されたネットワークアダプタ(50)自体で消費電力を算出するようにしてもよい。
図１１は、機器(40)自体が消費電力を算出できるようにした構成図である。
図１１に示すように、機器(40)は、機器を制御する機器制御部(43)と、該機器制御部(43)に接続され、機器(40)の運転状態に基づいて、消費電力を算出する消費電力算出部(44)、算出された消費電力をホームネットワーク(10)上のコントローラ(30)に送信するネットワーク処理部(45)とを有する。
【００２９】
上記機器(40)の消費電力算出のフローチャートを図１２に示している。
機器制御部(43)は、機器(40)の運転状態、例えば、スイッチのオン、オフや出力状態を消費電力算出部(44)に送信する(ステップ２１)。運転状態は、経時的に送信してもよいし、運転状態が変わる毎に送信したり、又は、所定時間毎に送信するようにしてもよい。また、ユーザがコントローラ(30)を操作して、消費電力を知りたいときに送信するようにしてもよい。
【００３０】
消費電力算出部(44)は、運転状態を受信すると、実施形態１の個別ルール(図４参照)と同様の要領で、受信した運転状態に基づいて、機器(40)の消費電力を算出する(ステップ２２)。
ユーザがコントローラ(30)の表示部(31)を操作して、消費電力の取得を要求すると(ステップ２３)、該要求がコントローラ(30)からネットワーク処理部(45)を介して消費電力算出部(44)に送信され、消費電力算出部(44)は、算出した消費電力をネットワーク処理部(45)を介してコントローラ(30)に送信する(ステップ２４)。
これにより、コントローラ(30)は、前述の図７、図８及び図１０に示すような要領で機器(40)の消費電力を表示部(31)に表示することができる。
【００３１】
ネットワークアダプタ(50)で消費電力を算出するには、図１３に示すように、機器(40)からの運転状態を受信する機器通信部(46)と、該機器通信部(46)に接続され、機器(40)の運転状態に基づいて、消費電力を算出する消費電力算出部(44)、算出された消費電力をホームネットワーク(10)上のコントローラ(30)に送信するネットワーク処理部(45)とを有する構成とすることができる。
【００３２】
ネットワークアダプタ(50)による消費電力算出のフローチャートを図１４に示している。
機器通信部(46)は、機器(40)の運転状態、例えば、スイッチのオン、オフや出力状態を機器(40)から受信し(ステップ３１)、消費電力算出部(44)に送信する(ステップ３２)。運転状態は、経時的に送信してもよいし、運転状態が変わる毎に送信したり、又は、所定時間毎に送信するようにしてもよい。また、ユーザがコントローラ(30)を操作して、消費電力を知りたいときに送信するようにしてもよい。
【００３３】
消費電力算出部(44)は、運転状態を受信すると、上記と同様に、受信した運転状態に基づいて、機器(40)の消費電力を算出する(ステップ３３)。
ユーザがコントローラ(30)の表示部(31)を操作して、消費電力の取得を要求すると(ステップ３４)、該要求がコントローラ(30)からネットワーク処理部(45)を介して消費電力算出部(44)に送信され、消費電力算出部(44)は、算出した消費電力をネットワーク処理部(45)を介してコントローラ(30)に送信する(ステップ３５)。
これにより、コントローラ(30)は、上記と同様、機器(40)の消費電力を表示部(31)に表示することができる。
【００３４】
＜実施形態３＞
上記実施形態１、実施形態２に示したホームネットワーク(10)上の機器の消費電力算出方法を利用し、ホームネットワーク(10)上に接続された機器(40)(40)の合計消費電力を監視し、合計消費電力が、ユーザが予め設定した消費電力の上限、例えば、宅内のブレーカ(60)が定格を越えてしまうことを防止するシステムに関する。
上記実施形態１、実施形態２と同じ符号は同じ装置を示し、適宜説明を省略する。
以下の実施形態では、機器(40)として、照明器具１(48)、照明器具２(49)を例に挙げて説明する。
【００３５】
ホームネットワーク(10)には、図１５に示すように、ホームサーバ(20)、コントローラ(30)、照明器具(48)(49)が接続されている。また、ホームサーバ(20)は、図１に示すように、外部ネットワーク(70)から共通ルールサーバ(72)に接続されている。
照明器具(48)(49)は、図１５に符号(62)で示すように、同一のブレーカ(60)を経由して電力の供給を受けている。なお、ブレーカ(60)の定格電力は、１５０ワットであるものとする。
【００３６】
照明器具１(48)は、メーカ：Ａ社、コード情報：KLT-T9999、出力の調整は、オン、オフ切替のみであり、オン時の消費電力が５０ワットである。照明器具１(48)の個別ルールを図１６の上段に示している。
照明器具２(49)は、メーカ：Ｂ社、コード情報：XYZ-12345、出力の調整は、強(レベル３)、中(レベル２)、弱(レベル１)及びオフの４つであり、強、中、弱時の消費電力は順に１００ワット、９０ワット、８０ワットである。照明器具２(49)の個別ルールを図１６の下段に示している。
【００３７】
照明器具１(48)と照明器具２(49)をホームネットワーク(10)に接続すると、ホームサーバ(20)は、両照明器具(48)(49)を認識し、コード情報を受信して、共通ルールサーバ(72)又は各メーカのルールサーバ(73)(74)に登録された個別ルール(図１６参照)と、照明器具(48)(49)の運転状況に基づき、実施形態１の要領で、ホームサーバ(20)は、各照明器具(48)(49)の消費電力を常に(又は運転状態が変わる毎に)算出し、データとしてホームサーバ(20)内に記録していく(図１７参照)。また、このとき、両照明器具(48)(49)の合計消費電力も算出し、記録しておく。
【００３８】
上記状態において、ブレーカ(60)の定格電力が１５０ワットであるので、照明器具(48)(49)の合計消費電力が１５０ワットとなると、ブレーカ(60)が落ちてしまう可能性がある。
具体的には、照明器具１(48)を点灯させている状態(消費電力５０ワット)で、照明器具２(49)を出力「強」(１００ワット)で点灯させると、ブレーカ(60)が落ちてしまう。同様に、照明器具２(49)を出力「強」(１００ワット)で点灯させている状態で、照明器具１(48)を点灯させると(５０ワット)、ブレーカ(60)が落ちてしまう。
【００３９】
照明器具２(49)が出力「強」(１００ワット)で点灯している場合(図２０のテーブルの３行目参照)、図１８に示すようにユーザがコントローラ(30)を操作して、照明器具１(48)を選択し、図１９に示すように、照明器具１(48)がオフの状態から、オンにする操作を行なうと、合計消費電力が１５０ワットとなり、ブレーカ(60)が落ちてしまう。
そこで、ホームサーバ(20)は、照明器具１(48)への操作命令が入力されると、予想される合計消費電力を算出し、１５０ワットを越えないように、照明器具２(49)の出力を１レベル落として、「中」(９０ワット)で点灯させる命令を出した後(図２０のテーブルの２行目参照)、照明器具１(48)をオンにするように制御する(図２０のテーブルの１行目参照)。
これにより、ブレーカ(60)に接続された機器、即ち、照明器具(48)(49)の合計消費電力が１４０ワットとなり、ブレーカ(60)が落ちてしまうことはなくなる。
【００４０】
このとき、図２１に示すように、照明器具１(48)をオンにしたことと、ブレーカ(60)が落ちてしまうことを防止するために、照明器具２(49)の出力を下げたことをコントローラ(30)に表示することが望ましい。
【００４１】
本実施形態によれば、ホームネットワーク(10)に接続された機器(40)(40)の消費電力を算出できるだけでなく、合計消費電力が所定範囲を超えないように機器(40)(40)の動作状態を制御し、ブレーカ(60)が落ちないようにすることができるので、ブレーカ(60)が落ちることによる復旧の手間や、機器の故障等を防止できる利点がある。
【００４２】
なお、上記では、機器の出力を調整することによって、ブレーカ(60)が落ちないようにしているが、機器の出力調整は行なわず、ユーザが操作しようとした機器(照明器具１(48))を動作させることによってブレーカ(60)が落ちることをコントローラ(30)に表示し、照明器具１(48)のスイッチがオンにできないようにしてもよい。
また、ユーザが照明器具１(48)をオンにしている状態から(５０ワット)、照明器具２(49)を出力「強」(１００ワット)で点灯させようとした場合には、ブレーカ(60)が落ちるため、照明器具２(49)は出力「中」以下の出力でしか点灯できないことをコントローラ(30)に表示し、照明器具２(49)を出力「中」で点灯させるようにしてもよい。
【００４３】
ホームネットワーク(10)に接続される機器が出力調整不能な場合は、出力調整しても合計消費電力が所定範囲を超える場合などには、ブレーカ(60)が落ちるため、ユーザの操作しようとした機器の動作が不能であるとのメッセージをコントローラに表示するようにすることが望ましい。
【００４４】
上記では、予め設定される最適な消費電力の上限として、ブレーカの定格電力を機器の出力の上限として制御しているが、ブレーカの定格電流、定格電圧等を基準に機器の出力の上限を設定することは勿論可能である。また、最適な消費電力の上限として、電気料金を基準にしたり、ユーザが所望の値を設定するようにしてもよい。
【００４５】
本実施形態は、ネットワークアダプタ(50)をホームネットワーク(10)と機器(40)との間に挿入した構成のものにも適用できる。また、ホームサーバ(20)を省略して、外部ネットワーク(70)上のサービス提供サーバ(75)(図１参照)上で、合計消費電力を算出し、制御するようにしてもよい。
ネットワークアダプタ(50)を経由してホームネットワーク(10)に接続する場合には、ネットワークアダプタ(50)自体が、直接共通ルールサーバ(72)に、接続された機器(40)のコード情報に基づいて、共通ルールサーバ(72)に消費電力に関する情報を問い合わせるようにしてもよい。
この場合、電流センサ等を内蔵した機器と同じように、ホームサーバ(20)は、消費電力を算出する際に、直接ネットワークアダプタ(50)へ消費電力に関する情報を問い合わせて受信できる。
【産業上の利用可能性】
【００４６】
本発明は、ホームネットワークに接続された機器の消費電力を、電流センサ等を取り付けることなく測定することができ、消費電力の管理や、ブレーカ落ちを防止できるホームネットワークシステムとして有用である。
【図面の簡単な説明】
【００４７】
【図１】本発明の実施形態１のホームネットワークシステムの全体構成図である。
【図２】本発明の実施形態１の異なる構成を示すホームネットワークシステムの全体構成図である。
【図３】実施形態１のフローチャート図である。
【図４】機器のコード情報に対する個別ルールの一例を示している。
【図５】実施形態１のホームネットワークの構成図である。
【図６】ホームサーバに記憶された機器の消費電力を表わすテーブルである。
【図７】コントローラの表示部を示している。
【図８】消費電力取得要求時のコントローラを示している。
【図９】一日の平均消費電力を表わすテーブルである。
【図１０】図９のテーブルをグラフ化してコントローラに表示した状態を示している。
【図１１】消費電力を算出できる機器の構成図である。
【図１２】機器にて消費電力を算出するフローチャート図である。
【図１３】消費電力を算出できるネットワークアダプタの構成図である。
【図１４】ネットワークアダプタにて消費電力を算出するフローチャート図である。
【図１５】本発明の実施形態３のホームネットワークの構成図である。
【図１６】照明器具１と照明器具２のコード情報に対する個別ルールの一例を示している。
【図１７】ホームサーバに記憶された各照明器具の消費電力と合計消費電力を示すテーブルである。
【図１８】コントローラの表示部を示している。
【図１９】照明器具１のスイッチをオンにするときのコントローラを示している。
【図２０】ホームサーバに記憶された各照明器具の消費電力と合計消費電力を示すテーブルである。
【図２１】照明器具１をオンにしたことと、照明器具２の出力を下げたこと表示しているコントローラを示している。
【符号の説明】
【００４８】
(10)  ホームネットワーク
(20)  ホームサーバ
(30)  コントローラ
(40)  機器
(48)  照明器具１
(49)  照明器具２
(50)  ネットワークアダプタ
(60)  ブレーカ
(70)  外部ネットワーク
(72)  共通ルールサーバ
【図１】
2006353005.tif 000003
【図２】
2006353005.tif 000004
【図３】
2006353005.tif 000005
【図４】
2006353005.tif 000006
【図５】
2006353005.tif 000007
【図６】
2006353005.tif 000008
【図７】
2006353005.tif 000009
【図８】
2006353005.tif 000010
【図９】
2006353005.tif 000011
【図１０】
2006353005.tif 000012
【図１１】
2006353005.tif 000013
【図１２】
2006353005.tif 000014
【図１３】
2006353005.tif 000015
【図１４】
2006353005.tif 000016
【図１５】
2006353005.tif 000017
【図１６】
2006353005.tif 000018
【図１７】
2006353005.tif 000019
【図１８】
2006353005.tif 000020
【図１９】
2006353005.tif 000021
【図２０】
2006353005.tif 000022
【図２１】
2006353005.tif 000023